(57)【要約】【課題】使用可能残量が少なくなった場合には、必要なときだけの最適なタイミングで電池の充電を促すことができる情報表示装置を提供する。【解決手段】情報を表示する表示部と、電池を充電する充電部と、前記電池の残量を検出する電池残量検出部と、電源オフ操作又はオートパワーオフによって使用状態から電源オフ状態へ移行するとき、前記電池残量検出部により検出した前記電池の残量が所定の閾値以下であれば、前記電池の充電を促す報知制御を行う制御部とを備えた構成とし、ユーザが情報表示装置を電源オフして保管するときという適切なタイミングで充電の要否を確認することを可能とした。【選択図】図４
2011034363.tif 000002
【特許請求の範囲】
【請求項１】
情報を表示する表示部と、
電池を充電する充電部と、
前記電池の残量を検出する電池残量検出部と、
電源オフ操作又はオートパワーオフによって使用状態から電源オフ状態へ移行するとき、前記電池残量検出部により検出した前記電池の残量が所定の閾値以下であれば、前記電池の充電を促す報知制御を行う制御部と、を備えたことを特徴とする情報表示装置。
【請求項２】
前記表示部は、電源からの電力供給が断たれたときでも表示状態を維持する表示部であり、
前記制御部は、前記電池の充電を促す情報を前記表示部に表示させた後に、前記表示部への電源供給を停止して前記電源オフ状態へ移行することによって、前記電源オフ状態後においても前記表示部において前記電池の充電を促す情報の表示を維持させる報知制御を行うことを特徴とする請求項１に記載の情報表示装置。
【請求項３】
前記制御部は、前記使用状態から電源オフ状態へ移行するときの曜日及び／又は時間帯に応じて前記閾値を変更することを特徴とする請求項１又は２に記載の情報表示装置。
【請求項４】
前記表示部に表示する情報を記憶する記憶部を備え、
前記制御部は、前記記憶部に新たに記憶された情報の情報量に応じて前記閾値を変更することを特徴とする請求項１又は２に記載の情報表示装置。
【請求項５】
所定時間先までのスケジュール情報を取得する取得部を備え、
前記制御部は、前記スケジュール情報に応じて前記閾値を変更することを特徴とする請求項１又は２に記載の情報表示装置。
【請求項６】
前記電池の使用量を検出する検出部と、
前記検出部で検出した電池の使用量の履歴を記憶する記憶部と、
を備え、
前記制御部は、前記記憶部に記憶した電池の使用量の履歴に応じて前記閾値を変更することを特徴とする請求項１〜５のいずれか１項に記載の情報表示装置。
【請求項７】
前記制御部は、使用状態のときに前記電池残量検出部により検出した前記電池の残量が前記閾値よりも小さい第２閾値以下となったときに、前記電池の充電を促す第２の報知制御を行うことを特徴とする請求項１〜６のいずれか１項に記載の情報表示装置。
【発明の詳細な説明】
【技術分野】
【０００１】
本発明は、情報表示装置に関し、詳しくは、最適なタイミングで電池の充電を促すことができる情報表示装置に関する。
【背景技術】
【０００２】
従来、電池により駆動して、表示パネルなどにおいて情報表示を行うことのできる情報表示装置があり、その中でも、消費電力が少なく、なおかつ、電源からの電力供給が断たれたときでも表示を維持する電気泳動表示パネル等の不揮発性表示部を用いた情報表示装置が知られている。
【０００３】
かかる情報表示装置では、記憶部に記憶されている電子書籍等のデータファイルに含まれるページデータをページ単位で読み出して、不揮発性表示部に表示させるページデータを書き換え、あたかもユーザが実際の書籍のページを捲るのと同様な操作で、書籍等のデータファイルを閲覧可能としたものがある。
【０００４】
そして、かかる情報表示装置においては、ユーザが携帯して場所を選ばずに長時間使用できるように、充電式電池（所謂二次電池）を電源として内蔵したものが一般的である。
【０００５】
このような二次電池を用いたものでは、ユーザに電池残量を知らせることが望まれる。特に、電池の持続期間が、例えば１週間程度と長い情報表示装置であれば、うっかりして充電することを忘れてしまう場合があるため、次回の使用が危ぶまれる程度に電池残量が少なくなった場合はユーザに充電を促す報知がなされることが望ましい。
【０００６】
そこで、電池の使用可能残量から、電子書籍等のページデータを切替表示可能なページ数を算出し、その算出値を表示部に表示する方法が提案されている（例えば、特許文献１を参照。）。
【先行技術文献】
【特許文献】
【０００７】
【特許文献１】特開２００５−１６４６７２号公報
【発明の概要】
【発明が解決しようとする課題】
【０００８】
しかし、上述した特許文献１の情報表示装置は、切替表示可能なページ数が、当該情報表示装置を使用している間は常に表示されることになっており、必要なときだけに表示するといったことができないものであった。
【０００９】
これでは、コンテンツ表示の邪魔になるおそれがあり、ユーザからしても煩く感じられ、情報表示装置の快適な使用を妨げるおそれがある。また、常に表示されることにより、ユーザの注意が向かなくなり、切替表示可能なページ数を見落としてしまうおそれがある。
【００１０】
本発明は、上述したような課題に鑑みてなされたものであり、使用可能残量が少なくなった場合には、必要なときだけの最適なタイミングで電池の充電を促すことができる情報表示装置を提供することを目的としている。
【課題を解決するための手段】
【００１１】
上記目的を達成するために、請求項１に係る発明は、情報を表示する表示部と、電池を充電する充電部と、前記電池の残量を検出する電池残量検出部と、電源オフ操作又はオートパワーオフによって使用状態から電源オフ状態へ移行するとき、前記電池残量検出部により検出した前記電池の残量が所定の閾値以下であれば、前記電池の充電を促す報知制御を行う制御部と、を備えた情報表示装置とした。
【００１２】
請求項２に係る発明は、請求項１に記載の情報表示装置において、前記表示部は、電源からの電力供給が断たれたときでも表示状態を維持する表示部であり、前記制御部は、前記電池の充電を促す情報を前記表示部に表示させた後に、前記表示部への電源供給を停止して前記電源オフ状態へ移行することによって、前記電源オフ状態後においても前記表示部において前記電池の充電を促す情報の表示を維持させる報知制御を行うことを特徴とする。
【００１３】
請求項３に係る発明は、請求項１又は２に記載の情報表示装置において、前記制御部は、前記使用状態から電源オフ状態へ移行するときの曜日及び／又は時間帯に応じて前記閾値を変更することを特徴とする。
【００１４】
請求項４に係る発明は、請求項１又は２に記載の情報表示装置において、前記表示部に表示する情報を記憶する記憶部を備え、前記制御部は、前記記憶部に新たに記憶された情報の情報量に応じて前記閾値を変更することを特徴とする。
【００１５】
請求項５に係る発明は、請求項１又は２に記載の情報表示装置において、所定時間先までのスケジュール情報を取得する取得部を備え、前記制御部は、前記スケジュール情報に応じて前記閾値を変更することを特徴とする。
【００１６】
請求項６に係る発明は、請求項１〜５のいずれか１項に記載の情報表示装置において、前記電池の使用量を検出する検出部と、前記検出部で検出した電池の使用量の履歴を記憶する記憶部と、を備え、前記制御部は、前記記憶部に記憶した電池の使用量の履歴に応じて前記閾値を変更することを特徴とする。
【００１７】
請求項７に係る発明は、請求項１〜６のいずれか１項に記載の情報表示装置において、前記制御部は、使用状態のときに前記電池残量検出部により検出した前記電池の残量が前記閾値よりも小さい第２閾値以下となったときに、前記電池の充電を促す第２の報知制御を行うことを特徴とする。
【発明の効果】
【００１８】
本発明によれば、情報表示装置を終了したときに電池の充電を促す報知を行うため、ユーザは、情報表示装置を電源オフして保管するときという、適切なタイミングで充電の要否を確認することが可能となる。
【図面の簡単な説明】
【００１９】
【図１】本発明の一実施形態に係る情報表示装置の外観を示す説明図である。
【図２】同情報表示装置の電気的構成を示す説明図である。
【図３】同情報表示装置の制御処理のメインフローを示す説明図である。
【図４】同情報表示装置の電源オフ処理のフローを示す説明図である。
【図５】同電源オフ処理における閾値算出処理のフローの一例を示す説明図である。
【図６】同閾値算出処理のフローの一例を示す説明図である。
【図７】同閾値算出処理のフローの一例を示す説明図である。
【図８】本発明の一実施形態に係る情報表示装置に記憶されている操作履歴の一例を示す説明図である。
【図９】同情報表示装置に記憶されているスケジュールの一例を示す説明図である。
【図１０】閾値テーブルの一例を示す説明図である。
【図１１】可変閾値テーブルの一例を示す説明図である。
【図１２】可変閾値テーブルの一例を示す説明図である。
【図１３】可変閾値テーブルの一例を示す説明図である。
【図１４】可変閾値テーブルの一例を示す説明図である。
【図１５】可変閾値テーブルの一例を示す説明図である。
【図１６】可変閾値テーブルの一例を示す説明図である。
【図１７】可変閾値テーブルの一例を示す説明図である。
【図１８】可変閾値テーブルの一例を示す説明図である。
【図１９】他の実施形態に係る閾値算出処理のフローの一例を示す説明図である。
【図２０】他の実施形態に係る閾値算出処理の一例を示す説明図である。
【発明を実施するための形態】
【００２０】
以下、本発明の一実施形態を、図面を参照して説明する。
【００２１】
［１．情報表示装置の概要］
先ず、図１及び図２を参照して、本実施形態に係る情報表示装置１の外観及び主な動作について説明する。
【００２２】
図１に示すように、情報表示装置１は、平面視で略矩形形状の薄型の装置であり、その正面には略Ａ４サイズの大きさの不揮発性の表示部２が設けられている。この不揮発性の表示部２は、例えば、電気泳動表示パネル等からなり、所定の分散媒中に分散された帯電粒子を電気泳動させることにより表示を行うことができ、電力の供給が断たれた場合であっても、その表示を維持することができるという性質を有する。
【００２３】
なお、本実施形態においては、表示部２を電気泳動表示パネルからなるものとして説明するが、これに限らず、電力の供給が断たれた場合であっても、その表示を維持することができる不揮発性表示パネルであればよい。例えば、表示部２として、光学異方性方式の表示素子（コレステリック液晶、強誘電性液晶など）を備えた表示パネル、粒子回転方式の表示素子を備えた表示パネル、粒子移動方式の表示素子を備えた表示パネルなどを用いることもできる。また、不揮発性表示パネルではなく、電力の供給が断たれた場合に、その表示が維持されない揮発性の表示パネルであってもよい。
【００２４】
また、情報表示装置１の下部には、充電可能な二次電池である電池７と、この電池７を充電するための電源制御部１５と、電池７の電圧を検出する電池電圧検出部２０とが内蔵されている。そして、電源制御部１５の下方には、外部から電源制御部１５へ電力を供給するためにＡＣアダプタなどを接続する外部接続端子１８が設けられている。なお、本実施形態における電源制御部１５は、電池７を充電するための充電部、電池７への充電が完了したことを検出する充電完了検出部としての機能も有する。また、本実施形態における電池電圧検出部２０は、電池７の残量として電池７の電圧を検出する電池残量検出部として機能する。すなわち、電池７の電圧は電池７の残量と相関関係があり、電池電圧検出部２０は、電池７の電圧を電池７の残量として検出している。なお、以下においては、電池電圧検出部２０が検出した電池７の電圧を電池残量という場合がある。
【００２５】
充電可能な二次電池としては、例えば、ニッカド電池、ニッケル水素電池、リチウムイオン電池などがあるが、本実施形態においては、相対的に重量に応じた電気容量が多く、安定した放電負荷特性を持つリチウムイオン電池を電池７として用いている。
【００２６】
また、表示部２の右側部には、情報表示装置１の状態を示すＬＥＤ３と、各種操作ボタンを備えた操作部４が配置されている。操作部４には、電源ボタン５ａ、メニューボタン５ｂ、縮小ボタン５ｃ、拡大ボタン５ｄ、ページ送り次ボタン５ｆ、ページ送り前ボタン５ｇ、選択ボタン６（６ａ〜６ｍ）が含まれる。そして、本実施形態では、各種ボタン５ａ〜５ｄ，６の操作が受け付けられて、当該操作に応じた処理を行うことができる状態が情報表示装置１の使用状態となる。
【００２７】
なお、縮小ボタン５ｃ及び拡大ボタン５ｄは、例えば、表示部２に表示される画像の大きさを、ユーザが閲覧し易い大きさに所定の段階（例えば、３段階）で任意に変更することを可能とするためのものである。
【００２８】
また、選択ボタン６（６ａ〜６ｍ）は、表示部２に表示された画像の一部の領域をユーザが指定するためのものであり、表示部２の右側縦縁に沿って列状に設けられている。そして、選択ボタン６ａ〜６ｍを、表示部２の表示領域を縦方向に複数の領域に分割して形成された分割領域（ここでは１３の分割領域）のそれぞれに１対１で対応して割り付けている。
【００２９】
不揮発性表示部２には、選択ボタン６ａ〜６ｍのそれぞれに対応させて、複数の電子書籍などのコンテンツの名称を表示するコンテンツ選択画面を表示可能である。情報表示装置１のユーザは、選択ボタン６ａ〜６のいずれかを押下して、不揮発性表示部２に表示させるコンテンツの選択、表示を行うことができる。なお、本実施形態の情報表示装置１で扱うことができるデータファイルは、文字や図形などからなるドキュメントを表示させるためのデータファイル（以下、「ドキュメントファイル」と呼ぶ。）、写真、ＣＧなどのグラフィック画像を表示させるためのデータファイルなどがあるが、これに限られるものではない。なお、以下においては、説明を容易にするために、データファイルをドキュメントファイルとして説明する。また、ドキュメントファイルには、表示部２に表示するページ単位のデータとしてページデータがページ分だけ含まれている。
【００３０】
情報表示装置１の右側面には、メモリカードＩ／Ｆ１６にメモリカード８を接続可能としている。このメモリカード８は、例えば、書き換え可能で、かつ電源を切ってもデータが消えない不揮発性の半導体メモリで構成された記録媒体であり、複数の電子書籍のドキュメントファイルが記憶されたものである。そして、情報表示装置１は、メモリカード８に記憶されている複数の電子書籍のドキュメントファイルから、ユーザが選択した任意の電子書籍のドキュメントファイルをメモリカードＩ／Ｆ１６を介して読み込んで当該ドキュメントファイルに含まれるページデータを表示部２に表示させて閲覧可能としている。
【００３１】
また、図２に示すように、情報表示装置１は、ＣＰＵ１０、ＲＯＭ１１、ＲＡＭ１２、ＥＥＰＲＯＭ１３を備えており、ＲＯＭ１１には情報表示装置１を動作させるプログラムが記憶され、ＥＥＰＲＯＭ１３には各種テーブルなどが記憶されている。各種テーブルには、後に詳述するが、電池残量の閾値や、この閾値を変動するための条件やパラメータなどが関連付けられている。
【００３２】
そして、ＣＰＵ１０は、このプログラムをＲＯＭ１１から読み出して実行し、各種テーブルを参照することにより、電源オンから電源オフまでを含む装置全体の制御及び電池７の充電を促す報知制御を司る制御部として機能する。なお、この電池残量検出部で検出した電池７の電圧はＥＥＰＲＯＭ１３の所定領域に記憶される。
【００３３】
ところで、本実施形態における情報表示装置１の電源オフは、電源ボタン５ａの操作によるオフと、操作部４が所定時間操作されなかった場合にＣＰＵ１０が自動的にパワーオフするオートパワーオフが含まれている。
【００３４】
この電源オフへの移行は、例えば、各種ボタン５ｂ〜５ｄ，６の操作が行われない状態が所定時間（例えば、１０分）経過したとき、又はユーザにより電源ボタン５ａが操作された場合に実行される。この電源オフ状態では、時計用カウンタ１７（図２参照）にのみ電力が供給され、それ以外の表示制御部１４、メモリカードＩ／Ｆ１６（図２参照）などの周辺装置及びＣＰＵ１０に対しては、電力供給が遮断されている。なお、電源ボタン５ａを操作することによって、電源オフから動作モードに移行するようにしている。電源オフとなってＣＰＵ１０が動作していないときに、電源ボタン５ａが押されると、ＣＰＵ１０に強制割り込み信号が入力されて、使用状態に移行する。
【００３５】
かかる構成により、本実施形態に係る情報表示装置１では、電源オフ操作又はオートパワーオフによって使用状態から電源オフ状態へ移行するとき、前記電池残量検出部により検出した電池７の残量が所定の閾値以下であれば、電池７の充電を促す報知制御を行えるようにしている。
【００３６】
すなわち、操作部４の操作に基づいて駆動している使用状態から、電源ボタン５ａが操作されるか、あるいは所定時間操作部４の操作が検出されなかった場合に自動でなされる電源オフ時に、ＣＰＵ１０は、電池残量検出部として機能して検出した電池残量と、ＥＥＰＲＯＭ１３に記憶された閾値とから充電の要否を判断し、充電が必要であると判断した場合は、表示部２に充電を促す表示を行う充電報知をするのである。この「充電報知」は情報表示装置１が「要充電」であることをユーザに報知することになる。
【００３７】
このように、情報表示装置１を電源オフした終了時に電池７の充電を促す充電報知が行われるため、ユーザは、情報表示装置１を保管するときのような適切なタイミングで充電の要否を知ることができるようになる。
【００３８】
また、表示部２は、前述したように、電力供給が断たれたときでも表示状態を維持する不揮発性の表示部２である。そこで、制御部として機能するＣＰＵ１０は、電池７の充電を促す情報を表示部２に表示させた後に、この表示部２への電源供給を停止して電源オフ状態へ移行することによって、この電源オフ状態後においても表示部２において充電報知を維持させる報知制御を行うようにしている。
【００３９】
すなわち、次に電源オン、若しくは充電が実施されるまで、画面表示による充電報知を保持することで、充電を促す報知の視認期間を長くできることとなり、ユーザは充電報知に気付きやすくなる。
【００４０】
ここで、充電報知としての表示態様は、「充電が必要です」などのようなテキスト表示であってもよいし、あるいは適宜の図形やマークによる表示などであってもよく、ユーザが充電が必要であることを認識できればどのような態様であっても構わない。
【００４１】
［２．情報表示装置の具体的な構成］
以下、上述した情報表示装置１のより具体的な構成及び動作について説明する。
【００４２】
先ず、図２を参照して、情報表示装置１の具体的な電気的構成について説明する。図示するように、情報表示装置１には、前述したように、表示制御部１４、不揮発性の表示部２、ＬＥＤ３、メモリカードＩ／Ｆ１６、メモリカード８、カウンタ１９、時計用カウンタ１７、電池電圧検出部２０、電池７、電源制御部１５、外部接続端子１８、ＣＰＵ１０、ＲＯＭ１１、ＲＡＭ１２、ＥＥＰＲＯＭ１３、操作部４が設けられている。
【００４３】
表示制御部１４は、不揮発性の表示部２への表示内容やＬＥＤ３への表示内容を制御する。この表示制御部１４には、不揮発性の表示部２を構成する電気泳動表示パネルの画素電極への電圧印加を行うＴＦＴを動作させるゲートドライバ及びソースドライバを制御するためのＦＰＧＡ、パネル駆動に必要な電源生成部（ＤＣ−ＤＣコンバータなど）等が備えられている。
【００４４】
ＲＯＭ１１には各種情報及び情報表示装置１を動作させるプログラムが記憶されており、ＣＰＵ１０は、このプログラムをＲＯＭ１１から読み出して実行することにより制御部として機能する。
【００４５】
なお、各種情報やプログラムをＲＯＭ１１に予め記憶させておくのではなく、メモリカードＩ／Ｆ１６を介して、メモリカード８などの記録媒体から各種情報やプログラムを取り出してＲＯＭ１１とは別にフラッシュＲＯＭ（フラッシュメモリ）を設けてそこに記憶するようにしてもよい。
【００４６】
ＲＡＭ１２は各種のデータを一時的に記憶するメモリであり、ＣＰＵ１０による制御処理時に用いられる。また、表示部２に表示するドキュメントファイルなどの情報を記憶する記憶部としても機能し、メモリカードＩ／Ｆ１６を介してメモリカード８から読み込んだドキュメントファイルを一時記憶することができる。なお、表示部２に表示する情報を記憶する記憶部として、ＥＥＰＲＯＭ１３を用いることもできる。
【００４７】
ＥＥＰＲＯＭ１３は不揮発性のメモリであり、電池残量検出部で検出した電池７の電圧や電池７の残量の閾値テーブル（閾値テーブル（図１０）、可変閾値テーブル（図１１〜１８））、操作履歴テーブル（図８）、スケジュールテーブル（図９、図１５〜１７）などの各種データテーブルが記憶されている。
【００４８】
また、操作部４の各種操作ボタン５ａ〜５ｇ，６ａ〜６ｍ（図１参照）がユーザにより操作された場合、所定の検出信号がＣＰＵ１０に供給される。
【００４９】
また、本実施形態における情報表示装置１は、外部電源であるＡＣアダプタから電力供給を受けていない場合には電池７の電力で駆動され、外部接続端子１８にＡＣアダプタなどが接続されて電力供給を受けている場合にはＡＣアダプタの電力で駆動されるように電源制御部１５により制御される。
【００５０】
この電源制御部１５は、外部接続端子１８にＡＣアダプタが接続され、情報表示装置１がこのＡＣアダプタから電力供給を受けている場合には電池７を充電する充電部、及び電池７の充電完了を検出する充電完了検出部として機能する。
【００５１】
また、メモリカード８には、複数の電子書籍のドキュメントファイルが記憶されており、メモリカードＩ／Ｆ１６は、メモリカード８から電子書籍のドキュメントファイルに含まれるページデータを読み取り、書き込みを制御する。ＣＰＵ１０は、メモリカードＩ／Ｆ１６を制御してメモリカード８から電子書籍のドキュメントファイルのタイトルやページデータなどの情報を読み取り、表示部２に表示させる制御を行う。
【００５２】
カウンタ１９はＣＰＵ１０の開始指示に従い所定の時間をカウントする。このカウンタ１９は本実施形態における書き換え処理を行っていない時間をカウントする。
【００５３】
時計用カウンタ１７は、情報表示装置１における時間を計時するためのものであり、常に所定の電力が供給されている。
【００５４】
次に、情報表示装置１の充電を促す充電報知処理を含む制御処理について、図３〜図７を参照して説明する。
【００５５】
図３は情報表示装置１の制御処理のメインフローを示しており、ここでは、情報表示装置１がＡＣアダプタではなく内蔵された電池７から電力が供給されて起動した場合の処理である。
【００５６】
情報表示装置１の電源ボタン５ａが押下されると、ＣＰＵ１０は、操作ログの記録を行う（ステップＳ１０１）。操作ログは、図８に示す操作履歴テーブルとして、ＥＥＰＲＯＭ１３に記憶される。すなわち、この電源オン操作がなされた日時が「２００９年７月７日１２時３４分５６秒」であり、操作内容として「電源オン」が記憶されるのである。
【００５７】
次いで、ＣＰＵ１０は、電源ボタン５ａによる電源オフ操作を検知したか否かを判断する（ステップＳ１０２）。そして、ＣＰＵ１０は、電源オフ操作を検知したと判断した場合（ステップＳ１０２：ＹＥＳ）はステップＳ１０９へ処理を移し電源オフ処理を実行する。
【００５８】
一方、上記ステップＳ１０２において、電源オフ操作を検知していないと判断した場合（ステップＳ１０２：ＮＯ）、ＣＰＵ１０は、ステップＳ１０３へ処理を移し、今度は電源ボタン５ａ以外の操作部４の各操作を検知したか否かを判断する。
【００５９】
ステップＳ１０３において、電源ボタン５ａ以外の操作部４の各操作を検知していないと判断した場合（ステップＳ１０３：ＮＯ）、ＣＰＵ１０は処理をステップＳ１０８に移し、操作部４の操作が一定期間行われていないかどうかを判断する。
【００６０】
そして、このステップＳ１０８において、ＣＰＵ１０は、一定期間の中で操作部４による操作がなされたと判断した場合（ステップＳ１０８：ＮＯ）、処理をステップＳ１０２に移し、操作部４の操作が一定期間行われていないと判断した場合（ステップＳ１０８：ＹＥＳ）は処理をステップＳ１０９に移し、オートパワーオフによる電源オフ処理を実行する。
【００６１】
なお、詳しくは後述するが、このステップＳ１０９の電源オフ処理では、現在の電池電圧と、図１０に示す充電報知用の可変の閾値１とを比較して第１の報知制御を行うことになる。すなわち、充電報知を行うか否かをＣＰＵ１０が決定する。そして、電源オフ処理を終えると、このメイン処理を終了する。なお、本実施形態における閾値は、電池残量を電池電圧で表したものであり、例えば、電池残量１００％は電池電圧が所定値Ｖａ、電池残量５０％は電池電圧が０．９Ｖａ、電池残量２０％は電池電圧０．８２Ｖａというようになる。このとき、閾値１が電池残量２０％に設定されていれば、電池電圧０．８２Ｖａ以下であれば、第１の報知制御を行うことになる。
【００６２】
一方、ステップＳ１０３において、電源ボタン５ａ以外の操作部４の各操作を検知したと判断した場合（ステップＳ１０３：ＹＥＳ）、ＣＰＵ１０は、各操作に対応する処理を実行する（ステップＳ１０４）。
【００６３】
次いで、ＣＰＵ１０は、操作に対応する操作ログをＥＥＰＲＯＭ１３に記録する（ステップＳ１０５）。すなわち、このときの操作がコンテンツとなるドキュメントファイルの新規登録であれば、図８に示すように、操作がなされた日時が「２００９年７月７日１２時３５分５６秒」、操作内容が「新規登録」、そしてドキュメントファイルのデータサイズが「２５ページ」というように記憶される。また、操作がドキュメントファイルのページ送りであれば、図８に示すように、操作がなされた日時が「２００９年７月７日１３時２３分３３秒」、操作内容が「表示書き換え」というように記憶される。なお、図８に示した操作ログでは、２００９年７月７日１４時１５分１６秒に電源オフがなされるまでは、ユーザによる操作としては「表示書き換え」のみが連続して行われたことが分かる。
【００６４】
次いで、ＣＰＵ１０は、電池電圧検出部２０で検出してＥＥＰＲＯＭ１３に電池残量として記憶された電池電圧と、同じくＥＥＰＲＯＭ１３に記憶されている所定の閾値、例えば、図１０に示す警告用の固定の閾値２（第２閾値）とを比較（ステップＳ１０６）する。そして、「閾値２＞電池残量」の場合（ステップＳ１０６：ＹＥＳ）、ＣＰＵ１０は、電池残量が少なくなっていることを示す警告報知を実行し（ステップＳ１０７）、その後、処理をステップＳ１０２に戻す。なお、ここで用いる閾値２の値は固定であり、ここでは電池残量５％としている。
【００６５】
このように、本実施形態では、電源ボタン５ａの操作以外の操作部４による各操作が可能な使用状態のときに、電池７の残量が閾値１よりも小さい閾値２（第２閾値）以下となった場合、電池７の緊急充電を促す第２の報知制御を行うことになる。したがって、本当に電池残量が少ない場合の警告表示が行える。
【００６６】
例えば、ドキュメントファイルを選択したり、ドキュメントファイルのページを送ったり、ページを拡大表示したり、メニューを選択したりすることができる使用状態のときにＣＰＵ１０は電池電圧検出部２０に電池電圧を検出させて電池残量を検出し、これが閾値２よりも小の場合は、緊急の充電報知を行うのである。
【００６７】
他方、ステップＳ１０６において、「閾値２≦電池残量」の場合（ステップＳ１０６：ＮＯ）、ＣＰＵ１０は処理をステップＳ１０２に戻す。
【００６８】
ここで、ステップＳ１０９で実行される電源オフ処理について、図４を参照しながら説明する。
【００６９】
電源オフ処理は、電源ボタン５ａの操作による電源オフ時に行われる場合と、操作部４の操作が一定期間なされなかった場合に自動で電源オフするパワーオートオフ時に行われる場合とがある。ＣＰＵ１０は、ステップＳ２０１において、先ず電池残量を取得する。すなわち、ＣＰＵ１０は、電池電圧検出部２０で検出した電池電圧を電池残量としてＥＥＰＲＯＭ１３の所定領域に記憶する。
【００７０】
次いで、ＣＰＵ１０は、充電の要否を判定する基準となる閾値を算出する（ステップＳ２０２）。
【００７１】
そして、ＣＰＵ１０はステップＳ２０２で算出した閾値１が電池残量よりも大きいか否かを判断する（ステップＳ２０３）。この処理において、閾値１が電池残量よりも大きいと判断した場合（ステップＳ２０３：ＹＥＳ）、ＣＰＵ１０は要充電を意味する充電報知を実行（ステップＳ２０４）した後にステップＳ２０５の処理に移行する。一方、閾値１が電池残量よりも大きくないと判断した場合（ステップＳ２０３：ＮＯ）、ＣＰＵ１０は直接ステップＳ２０５に処理を移行する。
【００７２】
ステップＳ２０５において、ＣＰＵ１０は、図８に示す電源オフの操作ログをＥＥＰＲＯＭ１３に記憶した後、電源オフへ移行する（ステップＳ２０６）。
【００７３】
このように、本実施形態によれば、電源オフ時において、現在の電池残量と、情報表示装置１の使用状況（使用量）に応じて変化する閾値１とを比較して、必要に応じた最適のタイミングで電池７の充電を促す充電報知を表示部２への表示を通して行うことになる。
【００７４】
しかも、表示部２は、電池７などの電源からの電力供給が断たれたときでも表示状態を維持する不揮発性の表示部２であり、ＣＰＵ１０、電池７の充電を促す情報を表示部２に表示させた後に、表示部２への電源供給を停止して電源オフ状態へ移行することによって、電源オフ状態後においても表示部２において電池７の充電を促す情報の表示を維持させる第１の報知制御を行うようにしている。
【００７５】
したがって、表示部２には、次に電源オン、若しくは充電が実施されるまで、充電報知が保持されているため、充電報知の視認期間が長くなり、ユーザは充電報知を見落とすおそれがない。
【００７６】
ここで、ステップＳ２０２における閾値の算出方法としては、情報表示装置１の次回の使用量をどのように推定するかによって、複数の方法の中から適宜採用することが可能である。例えば、以下の３通りの閾値算出方法が考えられる。（ａ）次回の使用量を過去の曜日別平均を元に取得する（図５参照）。（ｂ）次回の使用量を過去の時間帯別平均を元に取得する（図５参照）。（ｃ）次回の使用量を新規コンテンツの登録量を元に算出する（図６参照）。
【００７７】
すなわち、電源オフ操作又はオートパワーオフによって使用状態から電源オフ状態へ移行するとき、電池電圧検出部２０が電池残量検出部として検出した電池７の残量が所定の閾値以下であれば、ＣＰＵ１０が電池７の充電を促す第１の報知制御を行う情報表示装置１において、ＣＰＵ１０は、過去の使用状態から電源オフ状態へ移行するときの曜日及び／又は時間帯に応じて閾値１を変更するのである。
【００７８】
あるいは、ＣＰＵ１０は、表示部２に表示する情報を記憶する記憶部であるメモリカード８に新たに記憶されたドキュメントファイルなどからなる情報のその情報量、すなわち新規コンテンツの登録量に応じて閾値を変更するのである。
【００７９】
このとき、上述した（ａ）〜（ｃ）の閾値の取得あるいは算出方法には、図８で示した操作ログが寄与している。すなわち、操作ログは、ユーザの情報表示装置１の利用傾向を推定するのに有用であり、この操作ログから、次回の情報表示装置１の使用量（推定量）を算出している。そして、本実施形態では、このようにして次回の使用量を算出することにより、可変の閾値１を得るようにしているのである。
【００８０】
また、情報表示装置１では、各操作当たりの消費電力が分かっている。したがって、操作ログから電池７の使用量を算出して検出することも可能である。この場合、ＣＰＵ１０が電池７の使用量を検出する検出部として機能することになる。また、操作ログを記憶するＥＥＰＲＯＭ１３は、検出部で検出した電池７の使用量の履歴を記憶する記憶部として機能することになる。
【００８１】
なお、ここでは、上記（ａ）又は（ｂ）の方法を採用することとして説明を続ける。なお、他の（ｃ）の方法については後述する。
【００８２】
ステップＳ２０２の処理において、ＣＰＵ１０は、図５に示すように、先ず「日時」の情報を取得する（ステップＳ３０１）。
【００８３】
次いで、ＣＰＵ１０は、曜日又は時間帯による閾値を取得し（ステップＳ３０２）、処理をステップＳ２０３に移す。
【００８４】
（日時に基づく閾値取算出の第１の方法）
曜日又は時間帯による閾値を取得する際に、上記（ａ）の閾値算出方法であれば、第１の方法として、閾値を曜日別で固定した図１１に示すテーブルを用いて閾値１を取得することができる。
【００８５】
すなわち、この場合は、曜日別に閾値１を固定としており、図示するように、例えば月曜日から木曜日までは閾値１を電池残量３０％とし、金曜日から日曜日までは閾値１を電池残量６０％としている。
【００８６】
これは、情報表示装置１が、主に仕事で使用されるとした場合、休日前には長期間放置されることになるため、その間に充電しておくことを推奨する必要がある。そのため、金曜日から日曜日は、月曜日から木曜日までよりも電池残量が多い状態を閾値１と定めることで報知のための閾値を低くしている。その結果、休日前には「充電報知」がなされやすくなっている。
【００８７】
（日時に基づく閾値算出の第２の方法）
上記（ａ）の閾値算出方法であれば、その第２の方法として、閾値を曜日別の使用頻度に応じて異ならせた図１２に示すテーブルを用いて閾値１を算出することもできる。
【００８８】
図示するように、このテーブルでは、各曜日の「平均閲覧ページ数」と「算出式」と「閾値１」とが関連付けられて記憶されている。そして、各曜日毎の「閾値１」に対し、休日を除く翌日の閲覧ページ数と重み計数とを用いた「算出式」により各曜日の閾値１が算出されるようになっている。なお、前述したように、情報表示装置１は主に仕事で使用されるものとしているため、ここでは、土曜日、日曜日の休日では平均閲覧ページ数が０ページとなっている。
【００８９】
したがって、月曜日から木曜日、及び日曜日の「算出式」が「平均閲覧ページ数（翌日）×０．１（重み係数）」であるのに対し、金曜日と土曜日の「算出式」では、「平均閲覧ページ数（翌日から月曜日まで）×０．１（重み係数）」となっている。
【００９０】
したがって、月曜日の閾値１の算出であれば、翌日の火曜日の「平均閲覧ページ数」＝「１５０ページ」であって、このときの「算出式」が「平均閲覧ページ数（火）×０．１（重み係数）」であるため、閾値１は電池残量が「１５０×０．１＝１５％」となる。
【００９１】
他方、金曜日の閾値１の算出であれば、翌日の土曜日及び翌々日の日曜日の「平均閲覧ページ数」＝「０ページ」、月曜日の「平均閲覧ページ数」＝「１００ページ」なので、このときの「算出式」からすれば、閾値１は電池残量が「１００×０．１＝１０％」となる。
【００９２】
このように、翌日以降の使用頻度に応じた適切な閾値１が得られるため、充電が本当に必要な最適のタイミングで「充電報知」が情報表示装置１の電源オフ時に表示部２に表示されることになる。
【００９３】
（時間帯に基づく閾値算出方法）
上記（ｂ）の「次回の使用量を時間帯別平均を元に算出する方法」によれば、図１３で示すテーブルを用いて閾値１を取得することができる。
【００９４】
すなわち、このテーブルでは、図示するように、１日を、００時〜０３時、０３時〜０６時・・・１８時〜２１時、２１時〜２４時というように、３時間毎の８つの時間帯に区切ってある。そして、時間帯毎に適切な閾値１を割り付けている。
【００９５】
このときの閾値１の割り付けの目安としては、「午前は報知のための閾値を高くする（報知されにくい）、もしくは報知しない」、「午後は報知のための閾値を低くする（報知されやすい）、もしくは報知する」に基づいている。つまり、仕事で使用頻度が高いと思われる時間帯については、充電を気にすることなく仕事に集中できるように、なるべく「充電報知」を行わないようにして、仕事での使用頻度が高くないと思われる時間帯に「充電報知」を行うようにしている。
【００９６】
この例では、午前として規定した０６時〜０９時の時間帯は閾値１を電池残量１０％、同じく午前として規定した０９時〜１２時の時間帯は閾値１を電池残量２０％とし、午後として規定した１２時〜１８時の時間帯よりも電池残量が少ない状態を閾値１と定めることで報知のための閾値を高くしている。なお、ここでは、午後として規定された１２時〜１５時の時間帯は閾値１を電池残量３０％、１５時〜１８時の時間帯は閾値１を電池残量４０％としている。そして、夜である１８時〜２４時、さらには夜中から早朝にかけての２４時〜０６時の各時間帯は閾値１を電池残量５０％としている。
【００９７】
（新規コンテンツの登録量に基づく閾値算出方法）
次に、ステップＳ２０２の閾値算出処理について、（ｃ）次回の使用量を新規コンテンツの登録量を元に閾値を算出する方法に基づく例を図６及び図１４を参照して説明する。
【００９８】
図６に示すように、ＣＰＵ１０は、先ず「過去１日分の新規登録データサイズ」の情報を取得する（ステップＳ３０１Ａ）。ここで、新規登録データサイズとは、コンテンツとなるドキュメントファイルのページ数を示すデータサイズであり、本実施形態では、図１４に示すテーブルから情報を取得するようにしている。
【００９９】
図１４に示すように、このテーブルでは、直近の３日前までに新規登録したページ数と、このページ数と重み係数とを用いた閾値の算出式と、この算出式によって算出された閾値１が割り付けられている。具体的には、１日前が１００ページの新規登録があり、２日前には０ページ、すなわち新規登録はなく、３日前には２０ページの新規登録があったことが分かる。また、重み係数としては、新規登録タイミングに係る第１の重み係数と閾値算出全体に係る第２の重み係数との２種類あり、直近に新規登録したものであればあるほど閲覧可能性が高いと考えられるので、第１の重み係数としては、１日前は１．０、２日前は０．５、３日前は０．１としている。また、第２の重み係数は、ここでは０．３としている。
【０１００】
「過去１日分の新規登録データサイズ」の情報を取得すると、ＣＰＵ１０は、登録データサイズに重み係数を乗じて閾値１を算出し（ステップＳ３０２Ａ）、その後、処理を図４のステップＳ２０３に移す。
【０１０１】
すなわち、この場合の閾値１は、電池残量が（１００×１．０＋０×０．５＋２０×０．１）×０．３＝１０２×０．３＝３０．６％となる。
【０１０２】
このように、新規コンテンツの登録量に基づいて閾値を算出するようにすれば、コンテンツなどの新規登録データが多ければ、情報表示装置１の使用量も比例して増加すると想定できるため、情報量に応じた頻度での充電報知の実行が行える。
【０１０３】
（スケジュールに基づく閾値算出方法）
また、ステップＳ２０２の閾値算出処理の他の実施形態として、所定時間先までのスケジュール情報に応じて閾値１を変更することができる。
【０１０４】
例えば、図９に示すように、会議時間、外出時間及び出張期間のうち少なくとも一つを含むユーザのスケジュール情報を取得する取得部を備える必要があるが、ここでは、制御部として機能するＣＰＵ１０が取得部としての機能を担うことになる。
【０１０５】
この場合、図７に示すように、ＣＰＵ１０は、先ず「１週間分のスケジュール」の情報を取得する（ステップＳ３０１Ｂ）。そして、「１週間分のスケジュール」の情報を取得すると、ＣＰＵ１０は、向こう６時間内の会議時間、あるいは向こう２４時間内の外出時間あるいは向こう２４時間内に開始される出張の通算時間に重み係数を乗じて閾値１を算出し（ステップＳ３０２ｂ）、その後、処理を図４のステップＳ２０３に移すのである。
【０１０６】
このように、既に確定しているスケジュールに基づいて、情報表示装置１の使用量を推定して閾値１を算出するため、要充電の判断がより的確になされることになる。
【０１０７】
より具体的に説明すると、ＥＥＰＲＯＭ１３の所定領域に、スケジュール記憶領域を設け、図１５〜図１７に示すようなスケジュールテーブルを記憶できるようにしておく。なお、情報表示装置１に直接スケジュールを記憶させるのではなく、汎用のパーソナルコンピュータなど、本情報表示装置１とは別の情報処理装置で作成したスケジュールを読み込んでＥＥＰＲＯＭ１３などに記憶するようにしてもよい。
【０１０８】
図１５（ａ）に本日以降のスケジュールの一例であるスケジュールＡを示す。このスケジュールＡを用いる例では、向こう２４時間以内に出発する出張がある場合、この出張時間を基に閾値１を算出するようにしている。すなわち、閾値の算出式として、「閾値＝出張時間×４（重み係数）」としている。
【０１０９】
すなわち、本日（２００９年７月７日）の１０時に情報表示装置１を電源オフした場合であれば、図１５（ａ）に示すように、向こう２４時間以内である翌日（同年７月８日）の０８：００から翌々日（同年７月９日）の１２時までの１８時間（ｈ）に亘る出張が入っているため、図１５（ｂ）に示すように、閾値１＝電池残量７２（＝１８（ｈ）×４）％が算出されることになる。
【０１１０】
また、同様に、２００９年７月７日の１３時、あるいは１５時に情報表示装置１を電源オフした場合であっても、向こう２４時間以内には１８時間（ｈ）に亘る出張が入っているため、閾値１＝電池残量７２（＝１８（ｈ）×４）％が算出される。なお、このスケジュールＡに基づく閾値１の算出方法では、閾値の最少値を電池残量１０％、最大値を電池残量８０％として、その間で閾値１を設定するようにしている。
【０１１１】
このように、出張が予定されている場合、出張時には電池７が満充電であることが望ましいため、出張予定日の前日に情報表示装置１を電源オフした場合、充電報知が出やすくなるようにしている。特に、出張時間が閾値１に直接影響するため、出張時間が長時間に亘るほど電池残量が多い状態が閾値１と規定されるため、充電報知のための閾値は低くなり、長期出張であればあるほど「充電報知」がなされやすくなっている。
【０１１２】
さらに、スケジュールに基づく閾値算出方法の他の例として、向こう２４時間以内の外出時間に基づいて閾値１を算出することもできる。この場合の閾値の算出式としては、「閾値＝外出時間×２０（重み係数）」としている。
【０１１３】
図１６（ａ）に本日以降のスケジュールの一例であるスケジュールＢを示している。このスケジュールＢを用いる例では、本日（２００９年７月７日）の１０時に情報表示装置１を電源オフした場合、向こう２４時間以内には当日の１３：００から２時間の外出が入っているため、図１６（ｂ）に示すように、閾値１＝電池残量４０（＝２（ｈ）×２０）％が算出される。
【０１１４】
また、２００９年７月７日の１３時に情報表示装置１を電源オフした場合であれば、向こう２４時間以内には当日の１３：００から２時間の外出に加え、翌日（２００９年７月８日）の１０時から３時間の外出も含まれるため、閾値１＝電池残量１００（＝（２＋３）（ｈ）×２０＝）％が算出されるが、図１６（ｂ）に示すように、上限補正がなされて閾値１＝８０％が算出される。
【０１１５】
また、２００９年７月７日の１５時に情報表示装置１を電源オフした場合であれば、向こう２４時間以内には翌日（２００９年７月８日）の１０時から３時間の外出が入ることになり、閾値１＝電池残量６０（＝３（ｈ）×２０）％が算出されることになる。
【０１１６】
さらに、スケジュールに基づく閾値算出方法の他の例として、向こう６時間以内の会議時間に基づいて閾値１を算出することもできる。会議は、職場でなされるものであり、ユーザが職場にいる場合は充電しやすい環境にあると考えられるため、参照する時間域を外出や出張の２４時間よりも少ない６時間に設定している。この場合の閾値の算出式としては、「閾値＝会議時間×２０（重み係数）」としている。
【０１１７】
図１７（ａ）に本日以降のスケジュールの一例であるスケジュールＣを示している。このスケジュールＣを用いる例では、本日（２００９年７月７日）の１０時に情報表示装置１を電源オフした場合、向こう６時間以内には、１０時から１時間、１３：００から２時間、さらに１５時から１時間の会議が入っているため、図１７（ｂ）に示すように、閾値１＝電池残量８０（＝（１＋２＋１）（ｈ）×２０）％が算出される。
【０１１８】
また、２００９年７月７日の１３時に情報表示装置１を電源オフした場合であれば、向こう６時間以内には１３：００から２時間と１５時から１時間の会議があるため、閾値１＝電池残量６０（＝（２＋１）（ｈ）×２０）％が算出される。
【０１１９】
また、２００９年７月７日の１５時に情報表示装置１を電源オフした場合であれば、向こう６時間以内には１５時から１時間の会議があるだけなので、閾値１＝電池残量２０（＝１（ｈ）×２０）％が算出されることになる。
【０１２０】
このように、例えば、出張、外出、あるいは会議などのような既に確定しているスケジュールに基づいて情報表示装置１の使用量を推定して閾値１を算出することにより、要充電の判断がより的確になされるため、必要な時に的確なタイミングで充電報知を行うことが可能となる。なお、上述した例では、所定時間内における会議、外出、出張、個別のスケジュールに応じて閾値１を算出するようにしたが、所定時間内の会議時間、外出時間、出張時間の合計から閾値１を算出するようにしてもよい。
【０１２１】
また、電源オフの処理（図４）におけるステップＳ２０２の閾値算出処理の他の実施形態として、１日当たりの使用頻度から閾値１を算出することができる。
【０１２２】
図１８に１日当たりの使用頻度に基づいて閾値１が割り付けられたテーブルを示す。図示するように、この場合の閾値の算出式は、閾値＝１日当たりの平均閲覧ページ数×０．１（重み係数）としている。
【０１２３】
ここで、平均閲覧ページ数は、過去１週間の操作ログ（図８参照）から集計して得たドキュメントファイルの平均閲覧ページ数である。
【０１２４】
このように、１日当たりの使用頻度に基づいて閾値１を算出する場合は、ステップＳ２０２の閾値算出処理については、図１９に示すように、ＣＰＵ１０は、先ず「過去１週間の１日平均閲覧ページを取得する（ステップＳ３０１Ｃ）。すなわち、過去１週間の操作ログから１日当たりの平均閲覧ページ数を取得する。
【０１２５】
次いで、ＣＰＵ１０は、１日平均閲覧ページ数に重み係数０．１を乗じて閾値１を算出し（ステップＳ３０２Ｃ）、その後、処理を図４のステップＳ２０３に移すのである。
【０１２６】
この例によれば、重み係数を０．１と固定として閾値１を算出しているが、変形例として、図２０に示すように、使用頻度別にそれぞれ閾値を算出してもよい。
【０１２７】
すなわち、本実施形態に係る情報表示装置１は、ＣＰＵ１０が電池７の使用量を検出する検出部として機能し、操作ログを記憶するＥＥＰＲＯＭ１３が、ＣＰＵ１０（検出部）で検出した電池７の使用量の履歴を記憶する記憶部として機能している。したがって、制御部として機能するＣＰＵ１０は、記憶部であるＥＥＰＲＯＭ１３に記憶した操作ログ（電池７の使用量の履歴）に応じて閾値１を変更することが可能である。
【０１２８】
図２０に示した例では、情報表示装置１の使用頻度に応じて、ユーザをライトユーザ、一般ユーザ、ヘビーユーザに区分けしている。ライトユーザは、１週間の平均閲覧ページ数が０−１０００ページの使用頻度が低いユーザである。また、一般ユーザは、１週間の平均閲覧ページ数が１００１−５０００ページのユーザであり、ヘビーユーザは、１週間の平均閲覧ページ数が５００１ページ以上の使用頻度が高いユーザである。
【０１２９】
そして、ライトユーザについては、電池残量５０％を固定の閾値としている。このように固定の閾値を設定することで、ライトユーザが情報表示装置１を使用して電源オフする度に、電池残量５０％という閾値１に基づいて、必要に応じて充電報知がなされることになる。すなわち、かかるライトユーザは、情報表示装置１を使用する際には常に満充電であることが望ましいため、充電報知を毎回でもなされるようにしている。
【０１３０】
他方、一般ユーザ及びヘビーユーザについては、閾値１を区分けして設定している。すなわち、使用頻度が中程度の一般ユーザの場合、１週間を月曜日〜木曜日の前半部と、金曜日〜日曜日の後半部とに区分けし、休日の直前となる後半部では閾値１を５０％とし、休日から比較的遠い前半部では閾値１を２０％としている。すなわち、使用頻度が中程度の一般ユーザであれば、満充電で1週間は使用可能となるので、休日前に充電報知される確率を、休日前以外の曜日よりも高めているのである。
【０１３１】
また、用頻度が高いヘビーユーザの場合、満充電としても１週間はもたないため、高頻度で充電が必要となる。よって、過剰なまでに充電報知をしても煩がれるだけであると考えられる。そこで、ヘビーユーザの場合は、１日の時間帯で区分けして、夕方以降、すなわち１日の終わりがけに充電報知がなされる確率が高くなるように閾値１を設定している。
【０１３２】
すなわち、図示するように、深夜から早朝である０時〜６時は閾値２０％、午前中である６時〜１２時は閾値１が電池残量３０％、午後である１２時〜１８時は閾値１が電池残量４０％、夜である１８時〜２４時は閾値１が電池残量５０％としている。
【０１３３】
このように、制御部として機能するＣＰＵ１０が、記憶部であるＥＥＰＲＯＭ１３に記憶した操作ログ（電池７の使用量の履歴）に応じてユーザを使用頻度別に区分し、ユーザ区分毎に閾値１を変更して、使用頻度が高い第１のユーザ区分にあるユーザには、夕方以降に充電を促す報知を行うとともに、使用頻度が中の第２のユーザ区分にあるユーザには、休日前に充電を促す報知を行う一方、使用頻度が低い第３のユーザ区分にあるユーザには毎回充電を促す報知を行うようにすることができる。
【０１３４】
なお、上述の実施形態においては、時計用カウンタ１７のみに電力供給が行われている電源オフ状態としたが、これに限られない。すなわち、次の状態（ａ）〜（ｄ）のいずれか、若しくは、状態（ａ）〜（ｄ）の組み合わせの状態、若しくは、（ｂ）〜（ｄ）の組み合わせの状態を電源オフ状態としてもよい。
（ａ）ＣＰＵ１０の電力供給が停止された状態。
（ｂ）少なくともいずれか一つの周辺機器（例えば、ＲＡＭ１２、メモリカードＩ／Ｆ１６、表示制御部１４、不揮発性表示部である表示部２等）の電力供給が停止された状態。
（ｃ）少なくともいずれか一つの周辺機器の動作モードが通常時よりも消費電力の少ない省電力モードに移行した状態。
（ｄ）ＣＰＵ１０の動作モードが通常時よりも消費電力の少ない省電力モードに移行した状態。
【０１３５】
また、上述の実施形態においては、電池電圧検出部２０が電池残量として電池の電圧を検出し、閾値を電池残量の割合に対応する電圧と比較するようにしたがこれに限られず、直接的又は間接的に電池残量と閾値とが比較することができればよい。例えば、ＥＥＰＲＯＭ１３に電池電圧と電池残量（％）との関係テーブルを記憶しておき、電池電圧検出部２０が検出した電池電圧をこの関係テーブルに基づいて電池残量（％）に変換し、さらに閾値１を例えば５〜９０％の範囲内で決定し、電池残量と閾値とを比較するようにしてもよい。このとき、電池電圧検出部２０とＣＰＵ１０とが電池残量検出部として機能する。
【０１３６】
また、表示パネルとして不揮発性表示パネルを用いずに、揮発性パネルを用いたときには、揮発性表示パネルにユーザに充電を促す報知を一定時間（例えば、１０秒）だけ表示した後に、電源オフに移行することが望ましい。
【０１３７】
上述してきた実施形態から、以下の情報表示装置１が実現する。
【０１３８】
（１）情報表示装置１は、情報を表示する表示部２と、電池７を充電する電源制御部１５（充電部）と、主にＣＰＵ１０及び電池電圧検出部２０によって機能し、電池７の残量を検出する電池残量検出部と、主にＣＰＵ１０によって機能する制御部とを備え、前記制御部は、電源オフ操作又はオートパワーオフによって使用状態から電源オフ状態へ移行するとき、前記電池残量検出部により検出した電池７の残量が所定の閾値以下であれば、電池７の充電を促す第１の報知制御を行う。
【０１３９】
かかる情報表示装置１によれば、当該情報表示装置１を終了したときに電池７の充電を促す充電報知を行うため、ユーザは、情報表示装置１を電源オフして保管するときという適切なタイミングで充電の要否を確認することが可能となる。また、使用中には充電表示がなされないため、表示される情報の閲覧に集中することができる。
【０１４０】
（２）前記表示部２は、電源からの電力供給が断たれたときでも表示状態を維持する不揮発性の表示部２であり、前記制御部は、電池７の充電を促す情報を表示部２に表示させた後に、表示部２への電源供給を停止して前記電源オフ状態へ移行することによって、前記電源オフ状態後においても表示部２において電池７の充電を促す情報の表示を維持させる第１の報知制御を行う。
【０１４１】
かかる情報表示装置１によれば、表示部２には、次に電源オン、若しくは充電が実施されるまで、充電報知が保持されることになり、充電報知の視認期間が長くなるのでユーザは充電報知に気付き易くなる。
【０１４２】
（３）ＣＰＵ１０が主として機能する制御部が、図５や図１１〜図１３に示すように、前記使用状態から電源オフ状態へ移行するときの曜日及び／又は時間帯に応じて前記閾値を変更する。
【０１４３】
かかる情報表示装置１によれば、その使用状況に応じた頻度での充電報知の実行が実現される。
【０１４４】
（４）例えばＥＥＰＲＯＭ１３のように、表示部２に表示するドキュメントファイルなどのデータファイルを情報として記憶する記憶部を備え、前記制御部は、前記記憶部に新たに記憶された新規登録データサイズ（情報量）に応じて前記閾値１を変更する。
【０１４５】
かかる情報表示装置１によれば、例えばコンテンツなどの新規登録データ（情報量）が多ければ、情報表示装置１の使用量も比例して増加すると想定できるため、情報量に応じた頻度での充電報知の実行が実現される。
【０１４６】
（５）ＣＰＵ１０が、例えば、図９に示すような、会議時間、外出時間及び出張期間のうち少なくとも一つを含むスケジュール情報を取得する取得部として機能し、前記制御部は、前記スケジュール情報に応じて前記閾値１を変更する。
【０１４７】
かかる情報表示装置１によれば、出張前、会議前には次回使用量が多いと推測し、報知のための閾値を低くして、充電報知をなされ易くすることができる。また、例えば休日前には情報表示装置１が長期間放置されることになるので、その間に充電しておくことを推奨するために、報知のための閾値を低くして、充電報知をなされ易くすることができる。
【０１４８】
（６）ＣＰＵ１０が電池７の使用量を検出する検出部として機能し、この検出部で検出した電池７の使用量の履歴に換算可能な操作ログを記憶する記憶部としてＥＥＰＲＯＭ１３を備え、前記制御部は、前記記憶部に記憶した電池７の使用量の履歴に応じて前記閾値１を変更する。
【０１４９】
かかる情報表示装置１によれば、使用頻度が高いユーザには、過剰な報知を回避すべく夕方以降（1日の終わり）に報知し、また、使用頻度が中のユーザには、満充電で1週間程度使用できるようにするために、休日前に報知し、さらに、使用頻度が低いユーザには、使用時には常に満充電であるように、毎回報知するといった充電報知態様が実現できる。
【０１５０】
（７）ＣＰＵ１０が主として機能する制御部は、使用状態のときに、主にＣＰＵ１０及び電池電圧検出部２０によって機能する電池残量検出部により検出した電池７の残量が閾値１よりも小さい閾値２（第２閾値）以下となったときに、電池７の充電を促す第２の報知制御を行う。
【０１５１】
かかる情報表示装置１によれば、本当に電池残量が少ない場合の警告表示が行え、ユーザに緊急充電を促すことが可能となる。
【０１５２】
以上、本発明の実施形態のいくつかを図面に基づいて詳細に説明したが、これらは例示であり、当業者の知識に基づいて種々の変形、改良を施した他の形態で本発明を実施することが可能である。
【０１５３】
たとえば、閾値１を算出するための条件やパラメータに何を設定するか、重み係数をどのような値にするかは適宜決定することができる。
【０１５４】
また、図１及び図２で示した情報表示装置１のハード構成なども、本発明の要旨を逸脱することのない限り、適宜設計変更可能である。
【符号の説明】
【０１５５】
１    情報表示装置
２    表示部
４    操作部
７    電池
１０    ＣＰＵ
１３    ＥＥＰＲＯＭ
２０    電池電圧検出部 
【図１】
2011034363.tif 000003
【図２】
2011034363.tif 000004
【図３】
2011034363.tif 000005
【図４】
2011034363.tif 000006
【図５】
2011034363.tif 000007
【図６】
2011034363.tif 000008
【図７】
2011034363.tif 000009
【図８】
2011034363.tif 000010
【図９】
2011034363.tif 000011
【図１０】
2011034363.tif 000012
【図１１】
2011034363.tif 000013
【図１２】
2011034363.tif 000014
【図１３】
2011034363.tif 000015
【図１４】
2011034363.tif 000016
【図１５】
2011034363.tif 000017
【図１６】
2011034363.tif 000018
【図１７】
2011034363.tif 000019
【図１８】
2011034363.tif 000020
【図１９】
2011034363.tif 000021
【図２０】
2011034363.tif 000022